(57)【要約】【課題】受信信号を録音中に電源オフを指示しても、その録音中の受信信号が終了するまでは電源オン状態を維持し、その受信信号を最後まで録音できるようにしたものである。【解決手段】デジタル放送の受信信号を処理する信号処理部と、この信号処理部で処理された受信信号を記憶する記憶媒体と、前記信号処理部および前記記憶媒体に対し電力を供給する電源部と、前記電源部と電源との接続路に設けたスイッチとを備え、制御部は前記スイッチをオフする指示を受けると録音中であるか否かを判断し、録音中でなければ直ちに前記スイッチをオフし、録音中のときは前記受信信号の途切れを検出して該スイッチをオフするものである。【選択図】図１
2009027210.tif 000002
【特許請求の範囲】
【請求項１】
デジタル放送の受信信号を処理する信号処理部と、この信号処理部で処理された受信信号を記憶する記憶媒体と、前記信号処理部および前記録音媒体に対し電力を供給する電源部と、前記電源部と電源との接続路に設けたスイッチと、前記スイッチをオフする指示を受けると録音中であるか否かを判断し、録音中でなければ直ちに前記スイッチをオフし、録音中のときは前記受信信号の途切れを検出して該スイッチをオフする制御部とを備えた放送内容録音装置。
【請求項２】
制御部は、受信信号とともに放送される該受信信号の長さ時間−該受信信号の受信開始から受信停止指示までの経過時間＝該受信信号の残り時間が「０」となったときを受信信号の途切れと判断することを特徴とする請求項１記載の放送内容録音装置。
【請求項３】
制御部は、受信信号のアナログ音声レベルが設定値以下となったときを受信信号の途切れと判断することを特徴とする請求項１記載の放送内容録音装置。
【請求項４】
制御部は、ｎビットからなる受信信号の全てのビットが「０」となり、この「０」状態が所定時間経過継続したときを受信信号の途切れと判断することを特徴とする請求項１記載の放送内容録音装置。
【請求項５】
受信信号を圧縮して記憶媒体に記憶するＭＰＥＧエンコーダと、前記記憶媒体から読み出した再生信号を拡張して出力するＭＰＥＧデコーダとを備えたことを特徴とする請求項１記載の放送内容録音装置。
【発明の詳細な説明】
【技術分野】
【０００１】
この発明は、デジタルラジオ放送、デジタルテレビ放送等のデジタル放送の受信信号を録音する放送内容録音装置に関するものである。
【背景技術】
【０００２】
この種の放送内容録音装置は、受信信号を録音中に電源をオフした場合、当然、受信信号は途中までしか録音されない。そこで、希望する受信信号を全て録音するためには、その受信信号の録音終了まで電源のオンを継続することが必要であり、ユーザは自由に電源をオフすることができない。特に、車に搭載された放送内容録音装置の場合は、目的地についても録音終了までは、エンジンを切りＡＣＣ（アクセサリ）をオフ状態にして車を降りることができず不便である。
【０００３】
そこで、従来は、例えば、特許文献１に記載されているように、受信信号が音楽放送の場合、音楽放送の付加情報に含まれる演奏期間制御データに基づき、自動録音を指示した曲を演奏開始時点から演奏終了まで録音させるものがあるが、録音中にユーザの本意ではない電源オフ状態が生じた場合の対処については何等考慮されていない。このため、例えば車に搭載された放送内容録音装置では、エンジンを切りＡＣＣ（アクセサリ）オフ状態になった場合は、放送内容録音装置の主電源が切れて、希望する受信信号の録音中であっても該録音が中断されてしまうという不都合があった。
【０００４】
【特許文献１】特開平９−７４３６５号公報（［００２１］〜［００２３］、図４）
【発明の開示】
【発明が解決しようとする課題】
【０００５】
従来の放送内容録音装置は以上のように構成されているので、受信信号を録音中に電源のオフ操作をした場合、その電源オフ時点で録音が中断し、希望する受信信号を最後まで録音することができないという課題があった。
【０００６】
この発明は上記のような課題を解消するためになされたもので、受信信号を録音中に電源のオフ操作を行っても、その受信信号を最後まで録音できるようにした放送内容録音装置を得ることを目的とする。
【課題を解決するための手段】
【０００７】
この発明に係る放送内容録音装置は、デジタル放送の受信信号を処理する信号処理部と、この信号処理部で処理された受信信号を記憶する記憶媒体と、前記信号処理部および前記記憶媒体に対し電力を供給する電源部と、前記電源部と電源との接続路に設けたスイッチと、前記スイッチをオフする指示を受けると録音中であるか否かを判断し、録音中でなければ直ちに前記スイッチをオフし、録音中のときは前記受信信号の途切れを検出して該スイッチをオフする制御部とを備えたものである。
【発明の効果】
【０００８】
この発明によれば、受信信号を録音中に電源オフを指示しても、その録音中の受信信号が終了したことを検出して、受信機器への電源供給をオフするように構成したので、その受信信号を最後まで確実に録音できるという効果がある。
【発明を実施するための最良の形態】
【０００９】
以下、この発明の実施の一形態を図面について詳細に説明する。
実施の形態１．
以下、図面について、車に搭載した放送内容録音装置で受信した受信信号を録音する場合を例に実施の形態を説明する。
図１は実施の形態１である放送内容録音装置の構成を示すブロック図、図２はその動作を説明するフローチャートである。図１において、アンテナ１を備えたチューナ２の出力側には、ＨＤＤ（Ｈａｒｄ  Ｄｉｓｋ  Ｄｒｉｖｅ）４とＤ／Ａ（デジタル／アナログ）コンバータ５とが接続され、Ｄ／Ａコンバータ５の出力側には増幅部６とスピーカ７が順次直列に設けられている。図示しないバッテリから電源部１０に至る接続路に設けられたスイッチ８は制御部としてのマイクロコンピュータ９によってオン／オフ制御される。電源部１０は図に省略した電源供給路によって、チューナ２、信号処理部３、ＨＤＤ４、Ｄ／Ａコンバータ５、アンプ６のそれぞれに電力を供給する。マイクロコンピュータ９はこれらとは別電源が供給される。マイクロコンピュータ９は信号処理部３との間で互いに通信を行うとともに、図示しない操作部から操作信号、図示しないキースイッチからＡＣＣ信号を受け、ＨＤＤ４に録音の開始／終了、再生の開始を指示し、スイッチ８をオン／オフ制御する。
【００１０】
次に動作を説明する。アンテナ１より入力されたデジタル放送波はチューナ２で周波数変換された後、信号処理部３に供給される。信号処理部３で処理されたデジタル受信信号はＤ／Ａコンバータ５でアナログ受信信号に変換される。このアナログ受信信号はアンプ６で増幅された後、スピーカ７に供給されて音声出力される。この受信状態において、デジタル受信信号を録音するために、ユーザが図示しない操作部を操作してマイクロコンピュータ９に録音を指示すると、マイクロコンピュータ９はＨＤＤ４に録音開始を通知し録音状態となる。
【００１１】
この録音状態において、車のエンジンを切り、ＡＣＣをオフ状態にした場合の動作を図２のフローチャートについて説明する。マイクロコンピュータ９はＡＣＣのオフ指示を受けると（ステップＳＴ１１）、録音中か否かを判断する（ステップＳＴ１２）。そして、録音中でなければ直ちにスイッチ８をオフするが。録音中のときは、信号処理部３との間で通信を行い、受信信号とともに放送されてくる情報、例えばデジタル受信信号が楽曲の場合、その楽曲の長さ時間−該楽曲の受信開始から受信停止指示までの経過時間＝残り時間が「０」であるかを判断し（ステップＳＴ１３）、その楽曲の残り時間が「０」であればスイッチ８をオフする（ステップＳＴ１４）。なお、ステップＳＴ１３の判断で楽曲の残り時間が「０」でなければ、「０」になるまでステップＳＴ１３の判断を繰り返す。
【００１２】
以上のように、実施の形態１によれば、ユーザが受信信号の録音中に任意にＡＣＣ信号をオフする指示を行っても、バッテリから電源部１０に至る経路のスイッチ８を直ちにオフすることなく、例えばデジタル受信信号が楽曲の場合、その楽曲の残り時間が「０」となったことから、その受信信号が終了したことを検出して、電源部１０に対する電源供給をオフする。この結果、ユーザは録音状態か否かに気を使うことなく、いつスイッチオフの指示を行っても、その受信信号を最後まで確実に録音することができる。
【００１３】
実施の形態２．
図３は実施の形態２である放送内容録音装置の構成を示すブロック図であり、受信信号がニュース等のように長さが不明で、楽曲のように楽曲の長さ時間や該楽曲の受信開始から受信停止指示までの経過時間が得られない場合にも対応できるように構成したもので、Ｄ／Ａコンバータ５から出力されたアナログ信号の音声レベルを検出するアナログ音声レベル検出器１１を備え、予め設定したアナログ音声レベル値以下であれば無音と判断、つまり、受信信号の終了と判断して、その判断結果をマイクロコンピュータ９に通知する構成である。なお、他の構成は図１と同一であるから、同一部分には同一符号を付して重複説明を省略する。
【００１４】
次に動作を説明する。受信信号をスピーカ７に供給して音声出力したり、ＨＤＤ４に供給して録音する動作は実施の形態１と同様であるので、重複説明を省略する。そして、ＨＤＤ４に対する録音状態において、ＡＣＣをオフ状態にした場合の動作を図４のフローチャーチについて説明する。マイクロコンピュータ９はＡＣＣ信号のオフ指示を受けると（ステップＳＴ２１）、録音中か否かを判断する（ステップＳＴ２２）。そして、録音中でなければ直ちにスイッチ８をオフするが、録音中のときは、信号処理部３との間で通信を行い、受信信号とともに送られてくる受信信号が楽曲の場合は実施の形態１で説明したように、その受信信号とともに放送される楽曲の長さ時間−該楽曲の受信開始から受信停止指示までの経過時間＝残り時間が「０」であるかを判断し（ステップＳＴ２３）、楽曲の残り時間が「０」であればスイッチ８をオフする（ステップＳＴ２４）。
【００１５】
一方、ニュース等のように受信信号の長さが不明な場合は、受信信号の残り時間を演算できない。そこで、アナログ音声レベル検出器１１はＤ／Ａコンバータ５から出力されたアナログ音声レベルが予め設定したアナログ音声レベル値以下であるかを判断し（ステップＳＴ２５）、アナログ音声レベル値以下の状態が所定時間継続したかを判断したときは、マイクロコンピュータ９に対し受信信号が途切れことを通知する。
【００１６】
マイクロコンピュータ９はアナログ音声レベル検出器１１から受信信号が途切れた通知を受けるとスイッチ８をオフする。従って，受信信号が楽曲の場合のような楽曲の残り時間を演算できる受信信号の場合は勿論、ニュース等のように受信信号の長さが不明な受信信号であっても、ユーザは録音操作に気を使うことなく、いつスイッチオフの指示を行っても、その受信信号を尻切れ等を生ずることなく、最後まで確実に録音することができる。
【００１７】
実施の形態３．
図５は実施の形態３である放送内容録音装置の構成を示すブロック図であり、実施の形態２と同様、ニュース等のように受信信号の長さが不明な場合に対応する構成図である。信号処理部３から出力されたデジタル信号の音声レベルを検出するデジタル音声レベル検出器１２を備え、ｎビットからなるデジタル信号の全てのビットが「０」となり、この「０」状態が所定時間継続すると、無音と判断、つまり、受信信号の終了と判断して、その判断結果をマイクロコンピュータ９に通知する構成である。なお、他の構成は図１と同一であるから、同一部分には同一符号を付して重複説明を省略する。
【００１８】
次に動作を説明する。受信信号をスピーカ７に供給して音声出力したり、ＨＤＤ４に供給して録音する動作は実施の形態１と同様であるので、重複説明を省略する。そして、ＨＤＤ４に対する録音状態において、ＡＣＣをオフ状態にした場合の動作を図６のフローチャートについて説明する。マイクロコンピュータ９はＡＣＣ信号のオフ指示を受けると（ステップＳＴ３１）、録音中か否かを判断する（ステップＳＴ３２）。そして、録音中でなければ直ちにスイッチ８をオフするが、録音中のときは、信号処理部３との間で通信を行い、受信信号とともに送られてくる受信信号が楽曲の場合は実施の形態１で説明したように、その受信信号とともに放送される楽曲の長さ時間−該楽曲の受信開始から受信停止指示までの経過時間＝残り時間が「０」であるかを判断し（ステップＳＴ３３）、楽曲の残り時間が「０」であればスイッチ８をオフする（ステップＳＴ３４）。
【００１９】
一方、ニュース等のように受信信号の長さが不明な場合は、デジタル音声レベル検出器１２により、信号処理部３から出力されたｎビットからなるデジタル信号の全てのビットが「０」となり、この「０」状態が所定時間継続したかを判断し（ステップＳＴ３５）、デジタル信号の全てのビットが「０」となり、この「０」状態が所定時間継続したと判断したときは、マイクロコンピュータ９に対し無音状態、つまり受信信号が途切れたことを通知する。
【００２０】
マイクロコンピュータ９はデジタル音声レベル検出器１２から受信信号が途切れた通知を受けるとスイッチ８をオフする。従って，残り時間が演算できる楽曲のような受信信号は勿論、残り時間が演算できないニュース等のように受信信号の長さ時間が不明な受信信号であっても、ユーザは録音操作に気を使うことなく、いつスイッチオフの指示を行っても、その受信信号を尻切れ等を生ずることなく、最後まで確実に録音することができる。
【００２１】
実施の形態４．
図７は実施の形態４である放送内容録音装置の構成を示すブロック図であり、ＨＤＤ４に対する録音する場合の変形例を示すもので、Ｄ／Ａ（デジタル／アナログ）コンバータ５とＨＤＤ４との接続路にＭＰＥＧエンコーダ１３を、また、ＨＤＤ４とアンプ６との接続路にＭＰＥＧデコーダ１４を設けたもので、他の構成は図１に示す実施の形態１と同一構成であるから同一部分に同一符号を付して重複説明を省略する。
【００２２】
この実施の形態４では、ＨＤＤ４に対して情報を圧縮して記憶し、ＨＤＤ４から読み出した情報は拡張してアンプ６に供給するので、ＨＤＤ４の記憶量を増すことができるとともに、受信信号の出力には何等の不都合も生じないものである。
なお、上記の各実施の形態では、記憶媒体としてＨＤＤを例示したが、このＨＤＤに限定されるものではなく、ＣＤＲ、フラッシュメモリ等であっても同様である。
また、図示例は、車に搭載したデジタル受信装置で受信した受信信号を録音する場合を例について説明したが、室内に設置した固定式のデジタル受信装置で受信した受信信号を録音する場合についても同様に適用することができる。
【図面の簡単な説明】
【００２３】
【図１】実施の形態１を示す放送内容録音装置のブロック図である。
【図２】その動作を説明するフローチャートである。
【図３】実施の形態２を示す放送内容録音装置のブロック図である。
【図４】その動作を説明するフローチャートである。
【図５】実施の形態３を示す放送内容録音装置のブロック図である。
【図６】その動作を説明するフローチャートである。
【図７】実施の形態４を示す放送内容録音装置のブロック図である。
【符号の説明】
【００２４】
１  アンテナ、２  チューナ、３  信号処理部、４  ＨＤＤ、５  Ｄ／Ａコンバータ、６  アンプ、７  スピーカ、８  スイッチ、９  マイクロコンピュータ（制御部）、１０  電源部、１１  アナログ音声レベル検出器、１２  デジタル音声レベル検出器、１３  ＭＰＥＧエンコーダ、１４  ＭＰＥＧデコーダ。
【図１】
2009027210.tif 000003
【図２】
2009027210.tif 000004
【図３】
2009027210.tif 000005
【図４】
2009027210.tif 000006
【図５】
2009027210.tif 000007
【図６】
2009027210.tif 000008
【図７】
2009027210.tif 000009